(57)【要約】      （修正有）【課題】装設の定位が高精度であり、操作が簡単である電気コネクタを提供する。【解決手段】本体部１０と、遮蔽ケース２０と、金属製上部蓋体３０とを備える。遮蔽ケースは本体部の外部に覆設される。遮蔽ケースは頂板部２１と、底板２２と、２枚の側板２３と、収納用キャビティ２４とを有し、本体部は収納用キャビティ内に収納される。遮蔽ケースの２枚の側板の前部には一対のさかとげ部２６が外向きに設置され、２枚の側板の中央部には一対の突出部２７が外向きにプレスされる。金属製上部蓋体は遮蔽ケースに冠着される。金属製上部蓋体は上壁３１及び２つの側壁３２を含む。金属製上部蓋体の２つの側壁には遮蔽ケースのさかとげ部及び突出部に対応する一対の開口部３２１が開設され、２つの側壁は各開口部の真下の下端に案内凹溝３２２が開設される。装設では、遮蔽ケースのさかとげ部及び突出部が金属製上部蓋体の案内凹溝に沿って上に向けて滑動すると共に金属製上部蓋体の２つの側壁の開口部内に固定される。【選択図】図２
0003200831.tif 000002
【実用新案登録請求の範囲】
【請求項１】
本体部と、
前記本体部の外部に覆設され、且つ頂板部と、底板と、２枚の側板と、前記上部、前記板底板及び前記２枚の側板により包囲される収納用キャビティとを有し、本体部は収納用キャビティ内に収納され、その２枚の側板の前部には一対のさかとげ部がそれぞれ外に向けて打設され、２枚の側板の中央部には一対の突出部がそれぞれ外に向けてプレスされる遮蔽ケースと、
遮蔽ケースの上方に下向きに冠着され、上壁及び上壁の二側端から下に向けて延伸するように形成される２つの側壁を具備し、その２つの側壁には遮蔽ケースのさかとげ部及び突出部に対応する一対の開口部が各々開設され、２つの側壁には各開口部の真下の下端に案内凹溝が各々開設される金属製上部蓋体とを備え、
装設では、遮蔽ケースのさかとげ部及び突出部は金属製上部蓋体の案内凹溝に沿って上に向けて滑動すると共に金属製上部蓋体の２つの側壁の開口部内に最終的に固定されることを特徴とする電気コネクタ。
【請求項２】
前記頂板部の後端には一対の固定孔が開設され、前記金属製上部蓋体の上壁の後部には遮蔽ケースの固定孔に対応し、一対の突起ピンが下向きにプレスされ、金属製上部蓋体の突起ピンは遮蔽ケースの固定孔内に対応するように固定されることを特徴とする、請求項１に記載の電気コネクタ。
【請求項３】
金属製上部蓋体はレーザー溶接方式により遮蔽ケースに溶接されることを特徴とする、請求項１に記載の電気コネクタ。
【請求項４】
前記頂板部及び底板の前部には複数の弾性板がそれぞれ内向きに設置され、前記弾性板は突き合わせコネクタに弾性接続されることを特徴とする、請求項１に記載の電気コネクタ。
【請求項５】
前記本体部は内側の本体部及び外側の本体部を備え、外側の本体部は内側の本体部の外部に一体成形されることを特徴とする、請求項１に記載の電気コネクタ。
【請求項６】
前記内側の本体部は上部端子モジュールと、下部端子モジュールと、中間部遮蔽板とを備え、前記中間部遮蔽板は上部端子モジュールと下部端子モジュールとの間に固定されることを特徴とする、請求項５に記載の電気コネクタ。
【請求項７】
前記上部端子モジュールは上端の本体部と、複数の上部端子と、上部遮蔽板とを備え、複数の上部端子は上端の本体部内に一体成形され、上部遮蔽板は上端の本体部の上方に固定されると共に上部端子に接触されず、本体部の上部遮蔽板は遮蔽ケースの頂板部に連通されることを特徴とする、請求項６に記載の電気コネクタ。
【請求項８】
上端の本体部の二側端に近接される上部端子の前端にはそれぞれ下に向けて湾曲された後に外に向けて延伸される上結合部が各々形成され、前記上結合部は中間部遮蔽板に重ね接続されることを特徴とする、請求項７に記載の電気コネクタ。
【請求項９】
前記下部端子モジュールは下端の本体部と、複数の下部端子と、下部遮蔽板とを備え、複数の下部端子は下端の本体部内に一体成形され、下部遮蔽板は下端の本体部の下方に固定されると共に下部端子に接触されず、本体部の下部遮蔽板は遮蔽ケースの底板に連通されることを特徴とする、請求項６に記載の電気コネクタ。
【請求項１０】
下端の本体部の二側端に近接される下部端子の前端にはそれぞれ上に向けて湾曲された後に外に向けて延伸される下部結合部が各々形成され、前記下部結合部は中間部遮蔽板に当接されることを特徴とする、請求項９に記載の電気コネクタ。
【考案の詳細な説明】
【技術分野】
【０００１】
本考案は、電気コネクタに関する。
【背景技術】
【０００２】
電子製品の不断の発展につれて、各種電子製品の間及びその周辺機器との接続が頻繁に行われるようになっており、電子製品とその周辺機器とを電気コネクタにより接続する接続方式が普及している。
【０００３】
また、従来の電気コネクタは一般的に絶縁端本体と、複数の導電端子と、金属外ケースとを備える。複数の導電端子は絶縁端本体に一体成形され、金属外ケースは絶縁端本体の外部に覆設される。金属外ケースは頂板部と、底板と、後板と、２枚の側板と、前記頂板部、前記底板、前記後板及び前記２枚の側板により包囲される収納空間とを備え、絶縁端本体及び複数の導電端子は前記収納空間内に収納される。
【考案の概要】
【考案が解決しようとする課題】
【０００４】
しかしながら、前述した従来のコネクタでは、即ち、従来の電気コネクタは一般的に装設工程が煩雑であり、また、定位も不正確になりやすく、装設中に変位しやすいといった問題があり、突き合わせコネクタとの信号伝送に影響を与えた。そこで、本考案者は上記の欠点が改善可能と考え、鋭意検討を重ねた結果、如何に構造設計により作業を簡略化させ、高精度に定位できるようにするかが、本分野の事業者にとって解決が期待される重要な課題であり、故に合理的な設計により上述の問題を有効的に改善させる本考案の提案に至った。
【０００５】
本考案は、以上の従来技術の課題を解決する為になされたものである。即ち、本考案の目的は、従来の技術的欠点及び不足に対して、電気コネクタを提供し、且つ前記電気コネクタは装設の際の定位が高精度になり、操作も簡単になるという特徴を有する。
【課題を解決するための手段】
【０００６】
上述した課題を解決し、目的を達成するために、本考案に係る電気コネクタは、本体部と、前記本体部の外部に覆設され、且つ頂板部と、底板と、２枚の側板と、前記上部、前記板底板及び前記２枚の側板により包囲される収納用キャビティとを有し、本体部は収納用キャビティ内に収納され、その２枚の側板の前部には一対のさかとげ部がそれぞれ外に向けて打設され、２枚の側板の中央部には一対の突出部がそれぞれ外に向けて衝撃成形される遮蔽ケースと、
遮蔽ケースの上方に下向きに冠着され、上壁及び上壁の二側端から下に向けて延伸するように形成される２つの側壁を具備し、その２つの側壁には遮蔽ケースのさかとげ部及び突出部に対応する一対の開口部が各々開設され、２つの側壁には各開口部の真下の下端に案内凹溝が各々開設される金属製上部蓋体とを備え、
装設では、遮蔽ケースのさかとげ部及び突出部は金属製上部蓋体の案内凹溝に沿って上に向けて滑動すると共に金属製上部蓋体の２つの側壁の開口部内に最終的に固定されることを特徴とする。
【考案の効果】
【０００７】
以上のとおり、本考案に係る電気コネクタは遮蔽ケースのさかとげ部及び突出部により、且つ金属製上部蓋体の案内凹溝に沿って上に向けて滑動されると共に金属製上部蓋体の２つの側壁の開口部内に最終に固定され、金属製上部蓋体の突起ピンが遮蔽ケースの固定孔内に対応するように固定される。これにより、本考案に係る電気コネクタは装設の定位が高精度になり、操作が簡単になるという特徴を有する。
【図面の簡単な説明】
【０００８】
【図１】本考案の一実施形態に係る電気コネクタを示す外観斜視図である。
【図２】図１に示す電気コネクタを示すを示す展開図である。
【図３】図１に示す電気コネクタを他の角度から見た展開図である。
【図４】図１に示す電気コネクタを示す断面模式図である。
【図５】図１に示す電気コネクタにおいて、遮蔽ケース及び金属製上部蓋体がない右側図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
本考案に係る電気コネクタ１００は、本体部１０と、遮蔽ケース２０と、金属製上部蓋体３０とを備える（図１から図５参照）。
【００１１】
なお、前記本体部１０は内側の本体部１１及び外側の本体部１２を備える。外側の本体部１２は内側の本体部１１の外部に一体成形される（図２及び図３参照）。
【００１２】
前記内側の本体部１１は上部端子モジュール１３と、下部端子モジュール１４と、中間部遮蔽板１５とを備える。前記中間部遮蔽板１５は上部端子モジュール１３と下部端子モジュール１４との間に固定される。前記上部端子モジュール１３は上端の本体部１３１と、複数の上部端子１３２と、上部遮蔽板１３３とを含む。複数の上部端子１３２は上端の本体部１３１内に一体成形され、上部遮蔽板１３３は上端の本体部１３１の上方に固定されると共に上部端子１３２に接触されない。
【００１３】
図５に示すように、本実施形態では、上端の本体部１３１の二側端に近接する上部端子１３２の前端にはそれぞれ下に向けて湾曲された後に外に向けて延伸される上結合部１３２１が各々形成され、前記上結合部１３２１は中間部遮蔽板１５に当接される。上結合部１３２１及び中間部遮蔽板１５の当接により高周波サージ現象が有効に低下し、高周波が安定的に伝送される。前記下部端子モジュール１４は下端の本体部１４１と、複数の下部端子１４２と、下部遮蔽板１４３とを備える。複数の下部端子１４２は下端の本体部１４１内に一体成形され、下部遮蔽板１４３は下端の本体部１４１の下方に固定されると共に下部端子１４２に接触されない。本実施形態によると、下端の本体部１４１の二側端に近接される下部端子１３２の前端にはそれぞれ上に向けて湾曲された後に外に向けて延伸される下部結合部１４２１が各々形成され、前記下部結合部１４２１は中間部遮蔽板１５に当接される。下部結合部１４２１及び中間部遮蔽板１５の当接により高周波サージ現象が有効的に低下し、高周波が安定的に伝送される。
【００１４】
前記遮蔽ケース２０は本体部１０の外部に覆設される。さらに、前記遮蔽ケース２０は頂板部２１と、底板２２と、２枚の側板２３と、前記頂板部２１、前記底板２２及び前記２枚の側板２３により包囲される収納用キャビティ２４とを有する。図４を参照すると、本体部１０は遮蔽ケース２０の収納用キャビティ２４内に収納され、本体部１０の上部遮蔽板１３３は遮蔽ケース２０の頂板部２１に連通され、本体部１０の下部遮蔽板１４３は遮蔽ケース２０の底板２２に連通される。前記頂板部２１及び底板２２の前部には複数の弾性板２５がそれぞれ内向きに設置され、前記弾性板２５は突き合わせコネクタとの弾性接続に用いられ、且つ突き合わせコネクタとの間で接地して連通するために用いられる。前記２枚の側板２３の前部には一対のさかとげ部２６がそれぞれ外向きに設置され、２枚の側板２３の中央部には一対の突出部２７がそれぞれ外向きにプレスされる。前記頂板部２１の後端には一対の固定孔２８が開設される。
【００１５】
前記金属製上部蓋体３０は上壁３１及び上壁３１の二側端から下に向けて延伸するように形成される２つの側壁３２を備える。前記金属製上部蓋体３０の上壁３１の後部には遮蔽ケース２０の固定孔２８に対応する一対の突起ピン３１１が下向きにプレスされる。前記金属製上部蓋体３０の２つの側壁３２には遮蔽ケース２０のさかとげ部２６及び突出部２７に対応する一対の開口部３２１が各々開設される。２つの側壁３２は各開口部３２１の真下の下端に案内凹溝３２２が各々開設される（図２及び図３参照）。
【００１６】
装設では、金属製上部蓋体３０は遮蔽ケース２０の上方に下向きに冠着され、遮蔽ケース２０のさかとげ部２６及び突出部２７は金属製上部蓋体３０の案内凹溝３２２に沿って上に向けて滑動すると共に金属製上部蓋体３０の２つの側壁３２の開口部３２１内に最終に固定される。この際、金属製上部蓋体３０の突起ピン３１１は遮蔽ケース２０の固定孔２８内に対応するように固定されて装設の定位が行われる。金属製上部蓋体３０及び遮蔽ケース２０の装設が完成した後、金属製上部蓋体３０はレーザー溶接方式により遮蔽ケース２０に溶接され、金属製上部蓋体３０及び遮蔽ケース２０が緊密に結合され、本考案に係る電気コネクタ１００の機構のテストの許容度を高める。
【００１７】
結論として、本考案に係る電気コネクタ１００は遮蔽ケース２０のさかとげ部２６及び突出部２７により、金属製上部蓋体３０の案内凹溝３２２に沿って上に向けて滑動されると共に金属製上部蓋体３０の２つの側壁３２の開口部３２１内に最終に固定され、金属製上部蓋体３０の突起ピン３１１が遮蔽ケース２０の固定孔２８内に対応するように固定される。よって、本考案に係る電気コネクタ１００構成の試験耐久性が増加するようになる。
【００１８】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１９】
１００  電気コネクタ
１０  本体部
１１  内側の本体部
１２  外側の本体部
１３  上部端子モジュール
１３１  上端の本体部
１３２  上部端子
１３２１  結合部
１３３  上部遮蔽板
１４    下部端子モジュール
１４１  下端の本体部
１４２  下部端子
１４２１  下部結合部
１４３  下部遮蔽板
１５  中間部遮蔽板
２０  遮蔽ケース
２１  頂板部
２２  底板
２３  側板
２４  収納用キャビティ
２５  弾性板
２６  さかとげ部
２７  突出部
２８  固定孔
３０  金属製上部蓋体
３１  上面壁
３１１  突起ピン
３２    側壁
３２１  開口部
３２２  案内凹溝
【図１】
0003200831.tif 000003
【図２】
0003200831.tif 000004
【図３】
0003200831.tif 000005
【図４】
0003200831.tif 000006
【図５】
0003200831.tif 000007